(57)【特許請求の範囲】
【請求項１】
電線挿通孔とこれに連通する内方収納部とを有した器体と、前記電線挿通孔から挿通された電線の導体部が接触する前記内包収納部に内装された端子板と、該端子板方向に前記電線の導体部を付勢する前記内包収納部に内装された鎖錠ばねと、該鎖錠ばねの押圧状態を解除する解除レバ−と、前記電線の挿入により動作される表示部材を有する端子装置において、前記表示部材が導電性を有する金属材料であり、前記表示部材に設けた表示部を臨むことができる表示孔を設け、前記表示孔から、前記表示部材が前記電線の導体部で動作されていない時、前記解除レバ−の一部が臨まれ、前記表示部材が前記電線の導体部で動作された時、前記表示部材の表示部が前記解除レバ−の一部を覆うことにより前記表示部材の表示部が臨まれることを特徴とする回路遮断器の端子装置。
【請求項２】
前記表示部材は、通常状態では一方側に付勢され、前記電線挿通孔から前記電線の導体部の先端に押圧されて付勢力に反して動作することを特徴とする請求項１記載の回路遮断器の端子装置。
【請求項３】
前記表示部材の一部に板ばねとして作用するばね部を有し、器体等に設けた係合部にばね部の一端を係合させることにより、表示部材を一方側に付勢したことを特徴とする請求項２記載の回路遮断器の端子装置。
【請求項４】
前記表示部材を端子板により回動自在に支持したことを特徴とする請求項２記載の回路遮断器の端子装置。
【請求項５】
前記表示部材に設けた表示部の一部に着色を施したことを特徴とする請求項１及び２記載の回路遮断器の端子装置。
【請求項６】
前記解除レバ−にばね性を有する係合部を設け、かつ前記器体に前記係合部に合わせた被係合部を設けたことを特徴とする請求項１及び２記載の回路遮断器の端子装置。
【請求項７】
複数の極を有する端子装置において、前記解除レバ−が複数極の鎖錠ばねを解除できるようにしたことを特徴とする請求項１及び２記載の回路遮断器の端子装置。
【発明の詳細な説明】
【０００１】
【発明の属する技術分野】
本発明は、電線等の導体を接続する回路遮断器の端子装置に関する。
【０００２】
【従来の技術】
従来の回路遮断器の端子装置を図１０及び図１１に示す。この端子装置では、成型品から成る器体１に軸支された表示部材５が設けられている。また、一端が表示部材５に支持され他端が器体１に設けられた凸部１ｄに掛けられた線ばね４により表示部材５は、反時計回りに付勢されている。
【０００３】
電線挿通孔１ａから絶縁被覆付き電線６の被覆を剥いて露出させた導体部６ａが挿通されると、端子板２に対向して配設される鎖錠ばね３の接圧片３ａによって、電線６の導体部６ａが端子板２に押圧され、導体部６ａと端子板２とが電気的に接続されることになる。
【０００４】
その際、導体部６ａの先端が表示部材５に設けられた電線接触部５ｃを押圧するため、器体１に軸支された表示部材５が軸支点５ａを中心に線ばね４の付勢力に反して時計回りに回転し、表示部材５の表示部５ｂが表示孔１ｂから視認できるようになる。これにより、端子板２と電線６の導体部６ａとが電気的に接続されたことを作業者に知らせる。
【０００５】
また、電線が接続された状態において回路遮断器をＯＦＦ状態にして電線６及びその先に接続されるモ−タや電気機器や照明等の負荷の絶縁抵抗を測定する必要があり、その為に電線６と電気的に接続される導体に絶縁抵抗測定器のプロ−ブ７を接触させる必要がある。
【０００６】
そこで、絶縁抵抗測定穴１ｃが器体１に設けられており、更に、端子板２の抵抗測定部２ａが延出され、絶縁抵抗測定穴１ｃより差し込まれる絶縁抵抗測定器のプロ−ブ７が端子板２の抵抗測定部２ａに接触できるようになっている。
【０００７】
［発明が解決しようとする課題］
ところが、上述のような構成の回路遮断器の端子装置では、表示穴１ｂと絶縁抵抗測定穴１ｃが必要となり、かつ端子板２に抵抗測定部２ａを設ける必要がある為に、スペ−スが大きく必要となり、かつ端子板２の形状が複雑でコストアップにつながるという問題がある。また、表示部材５を金属材料で形成すると作業者が絶縁抵抗を測定する際に、表示部材５に接触して感電事故がおきることも考えられる。
【０００８】
本発明は上記の問題点に鑑みて成されたものであり、その目的とするところは、小さなスペ−スで構成することができ、安価でしかも安全な回路遮断器の端子装置を提供することである。
【０００９】
［課題を解決するための手段］
請求項１の発明は、電線挿通孔とこれに連通する内方収納部とを有した器体と、前記電線挿通孔から挿通された電線の導体部が接触する前記内包収納部に内装された端子板と、該端子板方向に前記電線の導体部を付勢する前記内包収納部に内装された鎖錠ばねと、該鎖錠ばねの押圧状態を解除する解除レバ−と、前記電線の挿入により動作される表示部材を有する端子装置において、前記表示部材が導電性を有する金属材料であり、前記表示部材に設けた表示部を臨むことができる表示孔を設け、前記表示孔から、前記表示部材が前記電線の導体部で動作されていない時、前記解除レバ−の一部が臨まれ、前記表示部材が前記電線の導体部で動作された時、前記表示部材の表示部が前記解除レバ−の一部を覆うことにより前記表示部材の表示部が臨まれることを特徴とするものである。
【００１０】
請求項２の発明は、表示部材は、通常状態では一方側に付勢され、電線挿通孔から前記電線の導体部の先端に押圧されて付勢力に反して動作することを特徴とするものである。
【００１１】
請求項３の発明は、表示部材の一部に板ばねとして作用するばね部を有し、器体等に設けた係合部にばね部の一端を係合させることにより、表示部材を一方側に付勢したことを特徴とするものである。
【００１２】
請求項４の発明は、表示部材を端子板により回動自在に支持したことを特徴とするものである。
【００１３】
請求項５の発明は、表示部材に設けた表示部の一部に着色を施したことを特徴とするものである。
【００１５】
請求項６の発明は、解除レバ−にばね性を有する係合部を設け、かつ器体に前記係合部に合わせた被係合部を設けたことを特徴とするものである。
【００１６】
請求項７の発明は、解除レバ−が複数極の鎖錠ばねを解除できるようにしたことを特徴とするものである。
【００１７】
【発明の実施の形態】
以下、本発明の第１の実施の形態について図１乃至７に、第２の実施の形態について図８に、第３の実施の形態について図９に夫々基づいて詳細に説明する。
【００１８】
［第１の実施の形態］
図１は本発明に係る回路遮断器の端子装置の側面図であり、図２は本発明に係る回路遮断器の端子装置に電線を挿入した状態の側面図である。また図３は本発明に係る回路遮断器の端子装置から電線を抜き取る状態の側面図であり、図４は本発明に係る回路遮断器の端子装置の主要部品の斜視図である。更に、図５は本発明に係る回路遮断器の側面図であり、図６は本発明に係る回路遮断器の組立を説明する斜視図であり、図７は本発明に係る回路遮断器の完成斜視図である。
【００１９】
図１において３は鎖錠ばねであり、接圧片３ａと鎖錠片３ｂとを有している。２は端子板であり、鎖錠ばね３と対向する位置に設置されている。１ａは電線挿通孔である。４は成型品からなる解除レバ−であり、器体に設けられた溝１ｅに沿って動作することができる。５は、ばね材として用いられるＳＵＳやベリリウム銅等の金属材料からなる表示部材であり、５ａ部が端子板２の一部に設けられた突起部２ａにはめられている。また、５ｄ部が幅が狭く板ばね状になっておりその端部が器体１に設けられた凸部１ｄに掛けられ、表示部材５を５ａ部を中心に反時計回りに付勢している。１ｂは表示孔であり、通常状態では解除レバ−４に設けられた表示部４ａが視認できる。
【００２０】
次に、この回路遮断器の端子装置の動作について説明する。図２に示す通り、先端の導体部６ａが露出した電線６を電線挿通孔１ａから挿通すると、鎖錠ばね３の接圧片３ａが電線６の導体部６ａを端子板２に圧接し、端子板２と電線６の導体部６ａとが電気的に接続されることになる。この際、鎖錠片３ｂは電線６の導体部６ａを係止し、振動や衝撃等によって電線６が抜けようとするのをねじ等により固定することなく防止している。
【００２１】
そして、さらに深く電線６が挿通されると、表示部材５に設けた電線接触部５ｃが導体部６ａにより押圧され、端子板２に軸支される５ａ部を中心に板ばね状に形成された５ｄ部が撓むことによる反力に抗して時計回りに回転する。すると、器体１に設けられた表示孔１ｂから表示部材５に設けられた表示部５ｂが解除レバ−４の表示部４ａを覆い隠すように動作される。これにより、表示部５ｂが視認できるようになるため、端子板２と電線６の導体部６ａとが電気的に十分に接続されたことを作業者に知らせる。
【００２２】
一方、電線６の挿入が十分でなく鎖錠ばね３の接圧片３ａに達するまで挿入されていない場合は、前述のように表示部材５に設けた電線接触部５ｃが導体部６ａにより押圧されず、表示部材５は回動せず器体１に設けられた表示孔１ｂからは解除レバ−４の表示部４ａが視認されるため、端子板２と電線６の導体部６ａとが電気的に十分に接続されていないことを作業者に知らせることができ、作業者はさらに電線６を深く挿通し、安定な接続状態が確実に得ることができる。
【００２３】
また、この状態において表示部材５と電線６の導体部６ａは電線接触部５ｃを介して接触しており、さらに板ばね状の５ｂ部が撓むことにより電線接触部５ｃと電線６の導体部６ａは押圧されているため十分に電気的に接続されている。また、表示部材５は金属材料にて形成されているため、表示部材５に設けた表示部５ｂと電線６は電気的に接続されている。
【００２４】
したがって、回路遮断器をＯＦＦ状態にして、器体１に設けられた表示孔１ｂから絶縁抵抗測定器のプロ−ブ７を挿入し、表示部材５に設けた表示部５ｂに接触することにより、電線６及びその先に接続されるモ−タ、電気機器及び照明等の負荷の絶縁抵抗を測定することができる。
【００２５】
さらにこの状態においても、表示部材５の表示部５ｂは器体表面より十分内部に位置するため解除レバ−４を操作するときにも導体部に触れる心配はなく感電等がなく安全である。
【００２６】
ここで、図３に基づいて、挿入された電線６を端子装置から引き抜く動作について説明する。上述したように鎖錠ばね３の鎖錠片３ｂが挿入された電線６の導体部６ａを係止しているので、電線６は引き抜くだけでは簡単にはずれないようになっている。
【００２７】
そこで、この端子装置では、鎖錠ばね３の鎖錠片３ｂが導体部６ａを係止するのを緩める解錠部４ｂを解除レバ−４に設けている。すなわち、解除レバ−４の操作部４ｃを鎖錠ばね３の方向に押すことにより解除レバ−４に設けた解錠部４ｂが鎖錠ばね３の鎖錠片３ｂを押し下げ、鎖錠片３ｂが導体部６ａを係止しなくなる。この状態で電線６を引き抜けば容易に端子装置から外すことができるようになる。
【００２８】
尚、電線６を引き抜いた後、表示部材５は、撓んでいる５ｂ部の付勢力により反時計回りに回動し、図１で示した位置と同じ位置に戻ることになる。また、解除レバ−４は操作部４ｃを押すのを止めると、鎖錠ばね３の鎖錠片３ｂの付勢力により図１で示した位置と同じ位置に戻ることになる。
【００２９】
解除レバ−４には、ばね性を有する係合部４ｄが設けられている。これにより図６に示すように、他部品を全て組み立てた後解錠レバ−４を最後に上方から挿入する際に係合部４ｄが器体１により撓み所定の位置（図１に示す）まで挿入されると、係合部４ｄは器体１に設けられた溝１ｆにはまりこみ、組み立てることができる。組み立てられた状態を図７に示している。
【００３０】
これにより、表示孔１ｂを用いて、絶縁抵抗を測定することができるため、小型の端子装置ができ回路遮断器を小型にすることができる。
【００３１】
また、絶縁抵抗測定のために絶縁抵抗測定器のプロ−ブ７を接触させる導体を表示部材で兼用したため、絶縁抵抗測定のために端子板２の一部を突出させることがなく、端子板を小型で安価に構成することができる。
【００３２】
ところで、本実施の形態では、他部品を全て組み立てた後解錠レバ−４を最後に上方から挿入するために、解除レバ−４にばね性を有する係合部４ｄを設けている。ここで、回路遮断器では工場での過電流特性の検査が必要である。このため解錠レバ−４を検査工程前に挿入している端子装置においては過電流特性の電極を電線６の導体部６ａの代わりに挿入することにより検査を行うこととなる。
【００３３】
しかしながら、このようにすると電極が電線と同等の形状でないと鎖錠ばね３が変形してしまうため断面積が十分取れず、電極の消耗が激しくなり非経済的である。よって、本実施の形態のように解錠レバ−４を最後に挿入することにより、図６に示すような解錠レバ−４のスペ−スが空き、端子板２に電極を上部から接触させることが可能となる。これにより電極の断面積を大きくすることができる。また、検査後解錠レバ−４を挿入した完成状態では、器体１の表示孔１ａを除くと内部の導体部に触れることはできないため安全である。
【００３４】
なお、本実施の形態では表示部材５に板ばね状の５ｄ部を構成することにより表示部材５を付勢したが、線ばね等別部品を用いることにより付勢することができるのは言うまでもない。しかしながら、本実施の形態の構成の方がより安価にできることは明白である。
【００３５】
さらに本実施の形態では表示部材５の軸支部５ａ部を端子板２の支持部２ａにより支持したが、器体１に支持部を設けて構成しても同様の効果を果たすことができる。
【００３６】
しかしながら、本実施の形態のように構成することにより、電線６の導体部６ａと表示部材５に設けた電線接触部５ｃが電気的に接続されると共に、電線６の導体部６ａと鎖錠ばね３の押圧力により電気的に接続された端子板２の支持部２ａ及び表示部材５の軸支部５ａを介すことにより電線６と端子板２を通して、表示部材５が電気的に接続されるため、より安定した電気的接続を得ることができる。
【００３７】
［第２の実施の形態］
図８は、回路遮断器の端子装置の主要部品の斜視図である。なお、本実施の形態の回路遮断器の端子装置の基本構成は、第１の実施の形態とよく似ており、同じ部分については同一の番号を付してその詳細な説明を省略する。
【００３８】
図に示すように、表示部材５の表示部５ｂの一部にはシ−ル８が設けられている。このシ−ル８は、表示部材５に対して明度の高い色或いは色彩（蛍光作用を有するものを含む）または対比色により着色してある。
【００３９】
このように、表示部材５の表示部５ｂの一部に明度の高い等の色のシ−ルを添付することにより、電線６と回路遮断器の電気的接続の完了表示をより明確かつ容易に行うことができる。即ちこのシ−ルにより、暗所でも視認性をよくすることができる。
【００４０】
また、このシ−ルで囲まれた部分は金属材料である表示部材５の表面であるため、この部分を絶縁抵抗測定器のプロ−ブ７で接触することにより、上述した第１の実施の形態と同じ様に電線６及びその先に接続されるの絶縁抵抗を測定することができる。
【００４１】
さらに本実施の形態では、電線６が挿入されたとき表示部材５の表示部５ｂ部が解除レバ−４の表示部４ａを覆うように動作するように構成したので、解除レバ−４の表示部４ａと表示部材５の表示部５ｂとの視認性の差を大きくすることにより電線６と回路遮断器の接続状態をより明確にかつ容易に認識することができる。
【００４２】
その一事例として、解除レバ−４は成型品であるため着色により暗い場所でも視認性がよい明度の高い色にすることは製造上も容易であり、これにより金属材料から成るため暗所では視認性が悪い表示部材５の表示部５ｂとの視認性の差が大きくなり、視認しやすい解除レバ−４の表示部４ａが隠れることにより電線６と回路遮断器の電気的接続の完了を作業者が明確に認識できる。これにより前述したような表示部材５の表示部５ｂの一部にシ−ルを添付することなく同様の効果を得ることができる。
【００４３】
また、解除レバ−４の表示部４ａに蛍光塗料を用いたシ−ル等を添付することによりより、一層の効果が得られることは言うまでもない。
【００４４】
［第３の実施の形態］
本発明の第３の実施の形態を図９により説明する。この端子装置は、複数の極を有する回路遮断器に用いられる。それぞれの極に前述の端子板２、鎖錠ばね３、表示部材５が設けられている。
【００４５】
なお、本実施の形態の回路遮断器の端子装置の基本構成は、第１の実施の形態とよく似ており、同じ部分については同一の番号を付してその詳細な説明を省略する。
【００４６】
ここで、解除レバ−４は１つであり、操作部４ｃは１箇所であるが、解錠部４ｂは２箇所に設けられている。前述の通り解除レバ−４の操作部４ｃを押すことにより、２箇所ある解錠部４ｂがそれぞれ各極に設けた二つの鎖錠ばね３の鎖錠部３ｂを同時に押し下げることができるため、前述と同様の動作及び作用をすることができる。
【００４７】
これにより、解除レバ−４を２極ともにそれぞれ構成する必要が無くなり、結果部品の低減ができ安価となる。また、同時に２極の電線を外せる為に施工がしやすくなる。
【００４８】
【発明の効果】
請求項１及び２記載の発明にあっては、表示孔を用いて、絶縁抵抗を測定することができるので、絶縁抵抗測定用の穴部を器体に設ける必要がないため、小型の端子装置ができ回路遮断器を小型にすることができると言う効果を奏する。
【００４９】
また、絶縁抵抗測定のために絶縁抵抗測定器のプロ−ブを接触させる導体を表示部材で兼用したため、絶縁抵抗測定のために端子板の一部を突出させることがなく、端子板を小型で安価に構成することができると言う効果を奏する。さらに、電線の接続状態と未接続状態（電気的に不十分な接続を含む）とで表示部材か解除レバ−のいずれかが視認できるため、両者の視認性の差を大きくすることにより、電線の接続状態をより明確にかつ容易に作業者に認識させることができると言う効果を奏する。
【００５０】
請求項３記載の発明にあっては、請求項１及び２記載の発明の効果に加え更に、表示部材５を付勢するために線ばね等の別部品を使用する必要が無く、より安価な回路遮断器を提供することができると言う効果を奏する。
【００５１】
請求項４記載の発明にあっては、請求項１及び２記載の発明の効果に加え更に、電線と表示部材との電気的接続が二つの電気的な接続ル−トにより確保されるため、より安定した電気的接続を得ることができると言う効果を奏する。
【００５２】
請求項５記載の発明にあっては、請求項１及び２記載の発明の効果に加え更に、暗所でも電線の電気的接続完了の表示を行う表示部材の表示部の視認性が良くなるため、電線の電気的接続状態を明確に作業者に認識させることができると言う効果を奏する。
【００５４】
請求項６記載の発明にあっては、請求項１及び２記載の発明の効果に加え更に、回路遮断器での過電流特性の検査の電極を電線６の導体部６ａの代わりに挿入することなく、端子板２に電極を上部から接触させることが可能となるため、電極の断面積を十分大きくすることができ、経済的であり、安価な回路遮断器の提供できると言う効果を奏する。
【００５５】
請求項７記載の発明にあっては、請求項１及び２記載の発明の効果に加え更に、複数極を有する回路遮断器においても解除レバ−は１つであり安価である。また、同時に２極の電線を外せるため施工し易いと言う効果を奏する。
【図面の簡単な説明】
【図１】本発明の第１の実施の形態に係わる回路遮断器の端子装置の側面図である。
【図２】上記回路遮断器の端子装置に電線を挿入した状態の側面図である。
【図３】上記回路遮断器の端子装置から電線を抜き取る状態の側面図である。
【図４】上記回路遮断器の端子装置の主要部品の斜視図である。
【図５】上記回路遮断器の側面図である。
【図６】上記回路遮断器の組立を説明する斜視図である。
【図７】上記回路遮断器の完成斜視図である。
【図８】本発明の第２の実施の形態に係わる回路遮断器の端子装置の主要部品の斜視図である。
【図９】本発明の第３の実施の形態に係わる回路遮断器の端子装置の主要部品の斜視図である。
【図１０】従来の回路遮断器の端子装置の側面図である。
【図１１】従来の回路遮断器の端子装置に電線を挿入した状態の側面図である。［符号の説明］
１    器体
２    端子板
３    鎖錠ばね
４    解除レバ−
５    表示部材
６    電線
１ａ  電線挿通孔
１ｂ  表示孔
４ａ  解除レバ−の表示部
５ｂ  表示部材の表示部
【図１】
0003777846.tif 000002
【図２】
0003777846.tif 000003
【図３】
0003777846.tif 000004
【図４】
0003777846.tif 000005
【図５】
0003777846.tif 000006
【図６】
0003777846.tif 000007
【図７】
0003777846.tif 000008
【図８】
0003777846.tif 000009
【図９】
0003777846.tif 000010
【図１０】
0003777846.tif 000011
【図１１】
0003777846.tif 000012